【手続補正書】
【提出日】平成15年6月25日(2003.6.25)
【手続補正１】
【補正対象書類名】明細書
【補正対象項目名】全文
【補正方法】変更
【補正の内容】
【発明の名称】人体皮膚近似形成物
【特許請求の範囲】
【請求項１】水溶性有機物質の粒粉物を水溶性有機物質の液状物とで被覆して均一混合したのち、色料及び硬化剤と共に均一混合した室温加硫型シリコーンゴムにより成形し、硬化後の成形体を水に浸漬して、前記水溶性有機物質の粒粉物と前記水溶性有機物質の液状物とを流出せしめ、乾燥し、人体皮膚表面に近似する表面を有する微細連続多孔質成形体に形成したことを特徴とする人体皮膚近似形成物。
【請求項２】前記水溶性有機物質の粒粉物に庶糖類を使用すると共に、水溶性有機物質の液状物にエチレングリコー又はプロピレングリコールを使用することを特徴とする請求項１記載の人体皮膚近似形成物。
【請求項３】前記水溶性有機物質の粒粉物に尿素を使用すると共に、水溶性有機物質の液状物にエチレングリコール又はプロピレングリコールを使用することを特徴とする請求項１又は２記載の人体皮膚近似形成物。
【発明の詳細な説明】
【０００１】
【発明の属する技術分野】
本発明は、人体皮膚に近似する表面性、感触性、柔軟性、弾力性、保形性、強度性等を有する人工人体（マネキン、人形、医療用、交通事故実験用ダミーなどを含む）、人工乳房（パッドを含む）その他の人工人体部品（義手、義足、マスクその他人体皮膚各部の近似物を含む）などを形成する人体皮膚近似形成物に関する。
【０００２】
【従来の技術】
従来人体皮膚に近似する形成物の代表的な例として、乳がんにより欠除した胸部の乳房位置に装着する補整具としてのシリコーンゴム製人工乳房があり、このものは、いわゆるフォーム型とバルーン型に分かれ、フォーム型はシリコーンオイルを多量混入したシリコーンゴム製の人工乳房で、バルーン型は外側をシリコーンゴム膜により人工乳房外形を形成して内部に空気を圧入したもので、いずれも柔軟性、弾力性、保形性、強度性などは、ある程度満足させているが、前者は、シリコーンオイルが多量に混入しているため表面が粘着質でべたつき、シリコーンオイルが滲出するので、カバーフィルムで全体を被覆する必要がある上に、重くなる欠点があった。後者は空気入りのゴム膜のため、人体皮膚感触とはかなり異なる欠点があった。
【０００３】
【発明が解決しようとする課題】
本発明は、人体皮膚に近似した表面性、感触性を有すると共に、柔軟性、弾力性、保形性、強度性等を賦与した人体皮膚近似形成物を提供するものである。
また、本発明は、軽量で、製作容易かつ成形性に優れた人体皮膚近似形成物を提供するものである。
さらに、本発明は、マネキン、人形、医療教習用ダミー、交通事故実験用ダミーなどのほか、人工乳房（パッドを含む）、その他人体皮膚に近似する人工部品の製作に適合する人体皮膚近似形成物を提供するものである。
【０００４】
【課題を解決するための手段】
本発明人体皮膚近似形成物は、上記課題を達成するため、水溶性有機物質の粒粉物を水溶性有機物質の液状物とで被覆して均一混合したのち、色料及び硬化剤と共に均一混合した室温加硫型シリコーンゴムにより成形し、硬化後の成形体を水に浸漬して、前記水溶性有機物質の粒粉物と前記水溶性有機物質の液状物とを流出せしめ、乾燥し、人体皮膚表面に近似する表面を有する微細連続多孔質成形体に形成したものである。
また、本発明人体皮膚近似形成物は上記課題を達成するため、前記水溶性有機物質の粒粉物に庶糖類を使用すると共に、水溶性有機物質の液状物にエチレングリコー又はプロピレングリコールを使用したものである。
また、本発明人体皮膚近似形成物は上記課題を達成するため、前記水溶性有機物質の粒粉物に尿素を使用すると共に、水溶性有機物質の液状物にエチレングリコール又はプロピレングリコールを使用したものである。
本発明において、室温加硫型シリコーンゴムには、いわゆる公知の２液型ＲＴＶシリコーンゴムをすべて含み、また、公知の室温硬化型及び低温加熱硬化型のものをすべて含む。また、成形には、注型によるもの、塗布によるものなども含まれる。
また、表層に使用するＲＴＶシリコーンゴムは、その引裂き強さが、硬化後の強度が８ｋｇｆ／ｃｍ以上のものを使用することが好ましい。
また、本発明において、ＲＴＶシリコーンゴムの硬化成形前に、シリコーンオイルを均一混合して、硬化成形後の成形体の硬さを自由に低下させることができる。
また、本発明において、水溶性有機物質の粒粉物は、水に溶解する公知の有機物質の粒粉物はすべて含まれるが、水溶解度の大きい庶糖類粒粉、尿素粒粉等が好ましい。
水溶性有機物質の粒粉物は、通常、粒粉径約３０〜約５００ミクロン程度が好ましく、これにより細径（約３０〜約２００ミクロン程度）乃至太径（約２００〜約５００ミクロン程度）の連続多孔質成形体が形成される。
さらに、本発明において、水溶性有機物質の液状物は、水溶性有機物質の粒粉物と共に、水溶性でＲＴＶシリコーンゴムと反応せず、水溶性有機物質の粒粉物の水流出を助長する公知の水溶性有機物質はすべて含まれるが、水溶性有機物質の粒粉物と均一混合して水溶性有機物質を被覆させれば、水によって水溶性有機物質の粒粉物を容易に抽出、分散、除去することができる、エチレングリコール、プロピレングリコールなどや、これらから誘導される界面活性剤等が好ましい。
【０００５】
【発明の実施の形態１】
本発明の実施の形態１が図１に示されている。
人体乳房のめす型５０に、平均粒度３０ミクロンの粉糖８０〜７０重量％とプロピレングリコール２０〜３０重量％を均一混合したもの２００〜４００重量％と、乳頭表面色の色料を少量混合した２液型ＲＴＶシリコーンゴム（ジーイー東芝シリコーン株式会社製ＴＳＥ３４５３ＴＡ・Ｂ  硬化後の引裂き強さ２５ｋｇｆ／ｃｍ）１００重量％、とを均一混合して注型塗布し、人工乳房乳頭層１を形成させ、平均粒度３０ミクロンの粉糖８０〜７０重量％とプロピレングリコール２０〜３０重量％を均一混合したもの２００〜４００重量％と、乳房表面色の色料を少量混合した２液型ＲＴＶシリコーンゴム（ジーイー東芝シリコーン株式会社製ＴＳＥ３４５３ＴＡ・Ｂ  硬化後の引裂き強さ２５ｋｇｆ／ｃｍ）１００重量％、とを均一混合して注型塗布し、人工乳房表層１０を形成させ、表層１０の内面に、平均粒度５００ミクロンのグラニュー糖９５〜８０重量％とプロピレングリコール５〜２０重量％を均一混合したもの３００〜６００重量％と、２液型ＲＴＶシリコーンゴム（ジーイー東芝シリコーン株式会社製ＴＳＥ３４５３ＴＡ・Ｂ  硬化後の引裂き強さ２５ｋｇｆ／ｃｍ）２５〜５０重量％とシリコーンオイル（ジーイー東芝シリコーン株式会社製ＴＳＦ４５１−５０）７５〜５０重量％を均一混合したもの１００重量％、とを均一混合して注入し、人工乳房内層２０を形成させ、平均粒度３０ミクロンの粉糖８０〜７０重量％とプロピレングリコール２０〜３０重量％を均一混合したもの２００〜４００重量％と、乳房表面色の色料を少量混合した２液型ＲＴＶシリコーンゴム（ジーイー東芝シリコーン株式会社製ＴＳＥ３４５３ＴＡ・Ｂ  硬化後の引裂き強さ２５ｋｇｆ／ｃｍ）１００重量％、とを均一混合して注入塗布し、人工乳房底層３０を形成させ、１５０℃以下の低温加熱して硬化させて人工乳房成形体をつくり、これを１００℃の水に６時間浸漬して糖類及びプロピレングリコールを流出させたのち、成形体を約１００℃で４時間乾燥して、成形後の容積変化を伴わない、ほぼめす型容積どおりの、人工乳房乳頭層１、人工乳房表層１０及び人工乳房底層３０が細径連続多孔質、これらに結合した人工乳房内層２０が太径連続多孔質のシリコーン連続多孔質成形体の人体皮膚近似形成物の人工乳房を得た。  出来上がった人体皮膚近似形成物の人工乳房の人工乳房乳頭層１、人工乳房表層１０及び人工乳房底層３０は、微細連続多孔質が形成されて、人体皮膚に近似する外観の表面性と人体皮膚に近似する手触りの感触性を有すると共に、人工乳房乳頭層１、人工乳房表層１０、人工乳房内層２０及び人工乳房底層３０を含む全体層は、人体皮膚に近似する感触性、柔軟性、弾力性、保形性、強度性等を有する人体皮膚近似形成物の人工乳房を得た。
また、人工乳房内層２０に混入されたシリコーンオイル（ジーイー東芝シリコーン株式会社製ＴＳＦ−４５１−５０）は、人工乳房乳頭層１の表面、人工乳房表層１０及び人工乳房底層３０の表面に滲出することがない。人工乳房乳頭層１及び人工乳房表層１０は、手触り及び触感は全く人体皮膚に近似し、また、注射針の注入、鍼挿入、指圧等の実習は、人体皮膚と同様に実習できる。
【０００６】
【発明の実施の形態２】
本発明の実施の形態２が図２に示されている。
人体乳房のめす型５０Ｂに、平均粒度３０ミクロンの粉糖８０〜７０重量％とプロピレングリコール２０〜３０重量％を均一混合したもの２００〜４００重量％と、乳頭表面色の色料を少量混合した２液型ＲＴＶシリコーンゴム（信越化学株式会社製ＫＥ１３１１Ｔ  硬化後の引裂き強さ２５ｋｇｆ／ｃｍ（主剤対硬化剤比１０：１））１００重量％、とを均一混合して注型塗布し、人工乳房乳頭層１Ｂを形成させ、平均粒度３０ミクロンの粉糖８０〜７０重量％とプロピレングリコール２０〜３０重量％を均一混合したもの２００〜４００重量％と、乳房表面色の色料を少量混合した２液型ＲＴＶシリコーンゴム（信越化学株式会社製ＫＥ１３１１Ｔ  硬化後の引裂き強さ２５ｋｇｆ／ｃｍ（主剤対硬化剤比１０：１））１００重量％、とを均一混合して注型塗布し、人工乳房表層１０Ｂを形成させ、平均粒度３０ミクロンの粉糖８０〜７０重量％とプロピレングリコール２０〜３０重量％を均一混合したもの２００〜４００重量％と、２液型ＲＴＶシリコーンゴム（信越化学株式会社製ＫＥ１３１１Ｔ  硬化後の引裂き強さ２５ｋｇｆ／ｃｍ（主剤対硬化剤比１０：１））１００重量％、とを均一混合して柱状物４０Ｂを形成させて、その下端を人工乳房表層１０Ｂの人工乳房乳頭層１Ｂ附近の内面と結合させると同時に、平均粒度５００ミクロンのグラニュー糖９５〜８０重量％とプロピレングリコール５〜２０重量％を均一混合したもの３００〜６００重量％と、２液型ＲＴＶシリコーンゴム（信越化学株式会社製ＫＥ１３１１Ｔ  硬化後の引裂き強さ２５ｋｇｆ／ｃｍ（主剤対硬化剤比１０：１））２５〜５０重量％と、シリコーンオイル（信越化学株式会社製ＲＴＶシンナー）７５〜５０重量％を均一混合したもの１００重量％、とを均一混合して注入し、柱状物４０Ｂの周囲に埋設しながら、人工乳房内層２０Ｂを形成させて、次に、平均粒度３０ミクロンの粉糖８０〜７０重量％とプロピレングリコール２０〜３０重量％を均一混合したもの２００〜４００重量％と、乳房表面色と同じ色料を少量混合した２液型ＲＴＶシリコーンゴム（信越化学株式会社製ＫＥ１３１１Ｔ  硬化後の引裂き強さ２５ｋｇｆ／ｃｍ（主剤対硬化剤比１０：１））１００重量％、とを均一混合して注入塗布し、人工乳房底層３０Ｂを形成させて、前記柱状物４０Ｂの上端と結合させ、１５０℃以下に低温加熱して硬化させ人工乳房成形体をつくり、これを１００℃の水に６時間浸漬して糖類及びプロピレングリコールを流出させたのち成形体を約１００℃で４時間乾燥し、成形後の容積変化を伴わない、ほぼめす型容積どおりの、乳頭部１Ｂ、人工乳房表層１０Ｂ、人工乳房底層３０Ｂ及び柱状物４０Ｂが細径連続多孔質、これらに結合した人工乳房内層２０Ｂが太径連続多孔質のシリコーン連続多孔質成形体多重層の人体皮膚近似形成物の人工乳房を得た。
出来上がった人体皮膚近似形成物の人工乳房の人工乳房乳頭層１Ｂ、人工乳房表層１０Ｂ及び人工乳房底層３０Ｂは、微細連続多孔質が形成されて、人体皮膚に近似する外観の表面性と人体皮膚に近似する手触りの感触性を有すると共に、人工乳房乳頭層１Ｂ、人工乳房表層１０Ｂ、人工乳房内層２０Ｂ及び人工乳房底層３０Ｂを含む全体層は、人体皮膚に近似する感触性、柔軟性、弾力性、保形性、強度性等を有する人体皮膚近似形成物の人工乳房を得た。
また、人工乳房内層２０Ｂに混入されたシリコーンオイル（信越化学株式会社製ＲＴＶシンナー）は、人工乳房乳頭層１Ｂの表面、人工乳房表層１０Ｂ及び人工乳房底層３０Ｂの表面に滲出することがない。
さらに、本発明実施例では、乳頭層１Ｂと乳房底層３０Ｂの各中央が柱状物４０Ｂで直結されているので、乳頭部附近の感覚が直接胸部に伝達され、人体乳房と同様な皮膚感覚を得ることができる。
人工乳房乳頭層１Ｂ及び人工乳房表層１０Ｂは、手触り及び触感は全く人体皮膚表面に近似し、また、注射針の注入、鍼挿入、指圧等の実習は、人体皮膚と同様に実習できる。
【０００７】
【発明の実施の形態３】
本発明の実施の形態３が図３に図示されている。
人体乳房のめす型５０Ｃに、平均粒度３０ミクロンの粉糖８０〜７０重量％とプロピレングリコール２０〜３０重量％を均一混合したもの２００〜４００重量％と、乳頭表面色の色料を少量混合した２液型ＲＴＶシリコーンゴム（信越化学株式会社製ＫＥ１６０３Ａ・Ｂ  硬化後の引裂き強さ１２ｋｇｆ／ｃｍ）１００重量％、とを均一混合して注型塗布し、人工乳房乳頭層１Ｃを形成させ、平均粒度３０ミクロンの粉糖８０〜７０重量％とプロピレングリコール２０〜３０重量％を均一混合したもの２００〜４００重量％と、乳房表面色の色料を少量混合した２液型ＲＴＶシリコーンゴム（信越化学株式会社製ＫＥ１６０３Ａ・Ｂ  硬化後の引裂き強さ１２ｋｇｆ／ｃｍ）１００重量％、とを均一混合して注型塗布し、人工乳房表層１０Ｃを形成させ、平均粒度５００ミクロンのグラニュー糖９５〜８０重量％とプロピレングリコール５〜２０重量％を均一混合したもの３００〜６００重量％と、２液型ＲＴＶシリコーンゴム（信越化学株式会社製ＫＥ１６０３Ａ・Ｂ  硬化後の引裂き強さ１２ｋｇｆ／ｃｍ）３０〜６０重量％とシリコーンオイル（信越化学株式会社製ＲＴＶシンナー）７０〜４０重量％を均一混合したもの１００重量％、とを均一混合して注入し、人工乳房内層２０Ｃを形成させ、平均粒度３０ミクロンの粉糖８０〜７０重量％とプロピレングリコール２０〜３０重量％を均一混合したもの２００〜４００重量％と、乳房表面色と同じ色料を少量混合した２液型ＲＴＶシリコーンゴム（信越化学株式会社製ＫＥ１６０３Ａ・Ｂ  硬化後の引裂き強さ１２ｋｇｆ／ｃｍ（主剤対硬化剤比１０：１））１００重量％、とを均一混合して注入塗布し、人工乳房底層３０Ｃを形成させる共に、メッシュ布地４０Ｃを貼着させたのち、１５０℃以下の低温加熱して硬化させて人工乳房成形体をつくり、これを１００℃の水に６時間浸漬して糖類及びプロピレングリコールを流出させたのち、成形体を約１００℃で４時間乾燥して、成形後の容積変化を伴わない、ほぼめす型容積どおりの、人工乳房乳頭層１Ｃ、人工乳房表層１０Ｃ及び人工乳房底層３０Ｃが細径連続多孔質、これに結合した人工乳房内層２０Ｃが太径連続多孔質のシリコーン連続多孔質成形体の人体皮膚近似形成物の人工乳房を得た。
出来上がった人体皮膚近似形成物の人工乳房の人工乳房乳頭層１Ｃ、人工乳房表層１０Ｃ及び人工乳房底層３０Ｃは、微細連続多孔質が形成されて、人体皮膚に近似する外観の表面性と人体皮膚に近似する手触りの感触性を有すると共に、人工乳房乳頭層１Ｃ、人工乳房表層１０Ｃ及び人工乳房内層２０Ｃを含む全体層は、人体皮膚に近似する感触性、柔軟性、弾力性、保形性、強度性等を有する人体皮膚近似形成物の人工乳房を得た。
また、人工乳房底層３０Ｃにはメッシュ布地４０Ｃが貼着されているので、胸部との間の通気性及び吸汗性は更に向上する。
また、人工乳房内層２０Ｃに混入されたシリコーンオイル（信越化学株式会社製ＲＴＶシンナー）は人工乳房乳頭層１Ｃの表面、人工乳房表層１０Ｃ及び人工乳房底層３０Ｃの表面に滲出することがない。
人工乳房乳頭層１Ｃ及び人工乳房表層１０Ｃは手触り及び触感は全く人体皮膚表面に近似し、また、注射針の注入、鍼挿入、指圧等の実習は、人体皮膚と同様に実習できる。
【０００８】
【発明の実施の形態４】
本発明の実施の形態４が図４乃至図６に示されている。
人形の腕部分の半割めす型５０Ｄ１に、平均粒度１００ミクロンの尿素粉９５〜８０重量％とエチレングリコール５〜２０重量％を均一混合したもの２００〜４００重量％と、腕部分の表面色の色料を少量混合した２液型ＲＴＶシリコーンゴム（旭化成ワッカーシリコーン株式会社ＥＬＡＳＴＯＳＩＬ  Ｍ８５２０  硬化後の引裂き強さ２０ｋｇｆ／ｃｍ（主剤対硬化剤比  １００：４））１００重量％、とを均一混合して注型塗布し、人形腕部分表層１０Ｄ１を形成させ、平均粒度１０００ミクロンの顆粒尿素９５〜８０重量％とエチレングリコール５〜２０重量％を均一混合したもの３００〜５００重量％と、２液型ＲＴＶシリコーンゴム（旭化成ワッカーシリコーン株式会社ＥＬＡＳＴＯＳＩＬ  Ｍ８５２０  硬化後の引裂き強さ２０ｋｇｆ／ｃｍ（主剤対硬化剤比  １００：４））６０〜３０重量％と２液型ＲＴＶシリコーンゴム（旭化成ワッカーシリコーン株式会社ＶＰ７５５０  硬化後の引裂き強さ０．２２ｋｇｆ／ｃｍ（主剤対硬化剤比  １００：４））４０〜７０重量％を均一混合したもの１００重量％、とを均一混合して注入し、人形腕部分内層２０Ｄ１を形成させ、人形腕部分表層１０Ｄ１と人形腕部分内層２０Ｄ１とを結合させ、２４時間室温硬化させ、これを２３℃の水に４時間浸漬して尿素及びエチレングリコールを流出させたのち、めす型５０Ｄ１から取り出し、成形体を約６０℃で６時間乾燥して、成形後の容積変化を伴わない、ほぼめす型容積どおりの、人形腕半割部分Ａを得た。
次に、人形の腕部分の半割めす型５０Ｄ２に、平均粒度１００ミクロンの尿素粉９５〜８０重量％とエチレングリコール５〜２０重量％を均一混合したもの２００〜４００重量％と、腕部分の表面色と同じ色料を少量混合した２液型ＲＴＶシリコーンゴム（旭化成ワッカーシリコーン株式会社ＥＬＡＳＴＯＳＩＬ  Ｍ８５２０  硬化後の引裂き強さ２０ｋｇｆ／ｃｍ（主剤対硬化剤比  １００：４））１００重量％、とを均一混合して注型塗布し、人形腕部分表層１０Ｄ２を形成させ、平均粒度１０００ミクロンの顆粒尿素９５〜８０重量％とエチレングリコール５〜２０重量％を均一混合したもの３００〜５００重量％と、２液型ＲＴＶシリコーンゴム（旭化成ワッカーシリコーン株式会社ＥＬＡＳＴＯＳＩＬ  Ｍ８５２０硬化後の引裂き強さ２０ｋｇｆ／ｃｍ（主剤対硬化剤比  １００：４））６０〜３０重量％と２液型ＲＴＶシリコーンゴム（旭化成ワッカーシリコーン株式会社ＶＰ７５５０  硬化後の引裂き強さ０．２２ｋｇｆ／ｃｍ（主剤対硬化剤比  １００：４））４０〜７０重量％を均一混合したもの１００重量％、とを均一混合して注入し、人形腕部分の内層２０Ｄ２を形成させると共に、人形骨部分４０Ｄを埋設し、２４時間室温硬化させ、これを２３℃の水に４時間浸漬して尿素及びエチレングリコールを流出させたのち、めす型５０Ｄ２から取り出し、成形体を約８０℃で４時間乾燥して、成形後の容積変化を伴わない、ほぼめす型容積どおりの、人形腕半割部分Ｂを得た。
次いで両人形腕半割部分Ａ及びＢを結合させ、人形腕部分表層１０Ｄ１及び１０Ｄ２が細径連続多孔質、人形腕部分内層２０Ｄ１及び２０Ｄ２が太径連続多孔質のシリコーン連続多孔質成形体の人体皮膚近似形成物の人形腕部分を得た。
なお、一方の半割めす型（５０Ｄ１又は５０Ｄ２）に注型した２液型ＲＴＶシリコーンゴムが硬化したとき、又は、硬化剤混合後の２液型ＲＴＶシリコーンゴムが流動しなくなったとき、２液型ＲＴＶシリコーンゴムが注型されている他方の半割めす型（５０Ｄ２又は５０Ｄ１）を下側にしてめす型同士を合わし、両者のめす型内の合わされた２液型ＲＴＶシリコーンゴムの硬化による結合を待って、そのまま又はめす型５０Ｄ１、５０Ｄ２からＡ、Ｂの結合された人形の腕部分を取り出して、水に浸漬して尿素及びエチレングリコールを流出させたのち、乾燥させてもよい。
出来上がった人形腕部分表層１０Ｄ（１０Ｄ１及び１０Ｄ２）は、微細連続多孔質が形成されて、人体皮膚に近似する外観の表面性と人体皮膚に近似する手触りの感触性を有すると共に、人形腕部分の表層１０Ｄ１及び１０Ｄ２と、人形腕部分の内層２０Ｄ（２０Ｄ１及び２０Ｄ２）を含む全体層は、人体腕部分に近似する感触性、柔軟性、弾力性、保形性、強度性等を有する人体皮膚近似形成物の人形腕部分が得られ、また、注射針の注入、鍼挿入、指圧等の実習は、人体皮膚と同様に実習できる。
【０００９】
【発明の効果】
本発明品によれば、表層を微細連続多孔質シリコーン成形体で形成できるので、人工皮膚表面に近似する表面性、感触性が得られ、内層も連続多孔質シリコーン成形体で形成すれば、全体として人体に近似する表面性、感触性、柔軟性、弾力性、保形性、強度性等が得られ、人工乳房、義足、義手その他の人工人体部分やマネキン、人形、医療教習用、交通事故実験用などのダミー人形等の製品精度の向上が期待される。
また、本発明品によれば、連続多孔質シリコーン成形体を主体とするので、極めて軽く、通気性、吸汗性は人体皮膚に劣らない機能が発揮できる。
また、本発明は、発泡注型と異なり、容積変化を伴うことなく、ほぼめす型容積どおりの、連続多孔質成形体に製造でき、その製造も極めて容易で、多孔度、硬度、軽量性、弾力性、着色性等も水溶性有機物質や水溶性有機物質の粉粒度、配合量により自由に加減でき、また、本来のシリコーンゴムの耐熱性、耐寒性、耐薬品・耐油性、耐候性、耐衝撃性、電気絶縁性、衛生上の安全性などを加えることができる。
【図面の簡単な説明】
【図１】本発明の実施の形態を断面図的に示した説明図である。
【図２】本発明の別の実施の形態を断面図的に示した説明図である。
【図３】本発明の別の実施の形態を断面図的に示した説明図である。
【図４】本発明の別の実施の形態を断面図的に示した説明図である。
【図５】図４の本発明の実施の形態を示した別の説明図である。
【図６】図４及び図５の本発明の実施の形態を示したさらに別の説明図である。
【符号の説明】
１、１Ｂ、１Ｃ          人工乳房乳頭層
１０、１０Ｂ、１０Ｃ    人工乳房表層
１０Ｄ１、１０Ｄ２、    人形腕部分表層
２０、２０Ｂ、２０Ｃ    人工乳房内層
２０Ｄ１、２０Ｄ２      人形腕部分内層
３０、３０Ｂ、３０Ｃ    人工乳房底層
４０Ｃ                  メッシュ布地
４０Ｂ                  柱状物
４０Ｄ                  人形骨部分


【手続補正２】
【補正対象書類名】図面
【補正対象項目名】図１
【補正方法】変更
【補正の内容】
【図１】
2003210503.tif 000001